(57)【要約】 位置検出器を不要とし、制御も容易な新たな同期モータの制御装置を提供する。 界磁の作る磁束の方向をｄ軸とし、ｄ軸に対してπ／２進んだ位相をｑ軸とするｄ−ｑ座標を用いた同期モータの制御装置において、位置指令に対応したｄ軸の電気角を生成する位相検出器１４と、同期モータ２０に流れる３相交流電流を検出する電流検出器１７と、位相検出器１４が生成した電気角に基づいて、電流検出器１７が検出した３相交流電流を、ｄ軸電機子電流及びｑ軸電機子電流に座標変換する３相交流／ｄ−ｑ座標変換器１６と、ｄ軸電機子に電流が流れ、かつｑ軸電機子に電流が流れないように、ｄ軸電機子電流及びｑ軸電機子電流を制御するｑ軸，ｄ軸電機子電流制御器１２，１３と、を備える。
2009004944.tif 000002
【特許請求の範囲】
【請求項１】
界磁の作る磁束の方向をｄ軸とし、ｄ軸に対してπ／２進んだ位相をｑ軸とするｄ−ｑ座標を用いた同期モータの制御方法において、
位置指令に対応したｄ軸の電気角を生成し、
ｄ軸電機子に電流が流れ、かつｑ軸電機子に電流が流れないように、ｄ軸電機子電流及びｑ軸電機子電流を制御する同期モータの制御方法。
【請求項２】
ｄ軸電機子電流が一定となるように、ｄ軸電機子電流を制御することを特徴とする請求項１に記載の同期モータの制御方法。
【請求項３】
界磁の作る磁束の方向をｄ軸とし、ｄ軸に対してπ／２進んだ位相をｑ軸とするｄ−ｑ座標を用いた同期モータの制御装置において、
位置指令に対応したｄ軸の電気角を生成する位相生成手段と、
同期モータに流れる３相交流電流を検出する電流検出器と、
前記位相生成手段が生成した前記電気角に基づいて、前記電流検出器が検出した３相交流電流を、ｄ軸電機子電流及びｑ軸電機子電流に座標変換する３相交流／ｄ−ｑ座標変換手段と、
ｄ軸電機子に電流が流れ、かつｑ軸電機子に電流が流れないように、ｄ軸電機子電流及びｑ軸電機子電流を制御する電流制御手段と、
を備える同期モータの制御装置。
【請求項４】
前記電流制御手段は、ｄ軸電機子電流が一定となるように、ｄ軸電機子電流を制御することを特徴とする請求項３に記載の同期モータの制御装置。
【請求項５】
前記同期モータの制御装置はさらに、
前記同期モータの位置を検出する位置検出器と、
位置指令と、前記検出器が検出した前記同期モータの位置と、を比較して、前記同期モータが位置指令のとおりに動いていないときに、前記ｄ軸電機子に流れる電流値を大きくするか、又はｄ軸の電気角を変化させる位置判定手段と、
を備えることを特徴とする請求項３に記載の同期モータの制御装置。
【請求項６】
請求項１又は２に記載の同期モータの制御方法によって制御された同期モータ。
【発明の詳細な説明】
【技術分野】
【０００１】
本発明は、界磁に永久磁石を用いる同期モータの制御方法及び制御装置に関する。
【背景技術】
【０００２】
サーボモータに使われる同期モータは、永久磁石で界磁磁束を作り、界磁磁束と合成ベクトルが直交するように３相電機子電流を流すことによって、推力を発生させる。サーボモータのシステムのブロック図を図７に示す。同期モータ３１と、それに電力を供給する電圧型ＰＷＭインバータ等の電力変換器３２、電力変換器３２が同期モータ３１に供給する電圧、あるいは流す電流の位相を決定するための位相検出器３３、及び電流制御を行うための電流制御器３４が基本構成になる。速度制御を行う場合はそのための速度検出器３５、さらに位置制御を行う場合はそのための位置検出器３６が付加される。位相検出器３３、速度検出器３５、位置検出器３６は共用されることが多い。【０００３】
同期モータの回路方程式の中で最も扱い易いのは、電圧、電流などを直流量であるｄ−ｑ座標で表したものである。ｄ−ｑ座標においては、界磁の作る磁束の方向がｄ軸であり、ｄ軸に対してπ／２進んだ位相がｑ軸である。可動部に働く推力はｑ軸電機子に流れる電流に比例する。位相検出器３３を用いた従来のサーボモータにおいて、ｑ軸電機子電流は、必要なトルクが得られるように制御される。ｄ軸は、界磁の磁束の方向であるので、ｄ軸電機子電流は、通常は流れないように制御される。電流制御器３４は、位相検出器３３から現在の磁極の位置（ｄ軸の位置）を算出し、磁極位置からπ／２ずれた位置にあるｑ軸電機子へ電流を流し、可動部が滑らかに動作するように制御する。サーボモータを用いると、正確な位置決め制御ができるし、トルクに応じて電流の大小を制御できるので、モータ効率がよく、消費電力を小さくすることができるという利点がある。【０００４】
しかし、ｄ−ｑ座標を用いたフィードバック制御を行うためには、エンコーダやパルスジェネレータなどの高価な位置検出器（又は磁気センサなどの位相検出器）が必要になる。磁極の位置（ｄ軸の位置）を知らないと、３相交流／ｄ−ｑ座標変換器３７が、３相交流電流をｄ軸，ｑ軸電機子電流に座標変換することができないし、ｄ−ｑ座標／３相交流変換器３８が、ｄ軸，ｑ軸電機子電流を３相交流電流に座標変換できないからである。【０００５】
位置検出器を用いることなく、同期モータの位置を制御する回路として、位置センサレス制御回路が知られている（例えば特許文献１参照）。位置センサレス制御は、モータに流れるモータ電流を検出し、モータ電流を用いてモータの回転子位置を推定し、モータを指令に応じた回転速度で回転させるための信号をＰＷＭインバータに与える。【０００６】
この他にも、位置検出器を用いることなく、モータの位置を制御する方法として、駆動回路への入力パルス数によって、モータの回転角度をオープンループ制御するパルスモータも知られている。
【特許文献１】特開２００６−６７６５６号公報
【発明の開示】
【発明が解決しようとする課題】
【０００７】
しかし、位置センサレス制御回路においては、実軸（ｄ−ｑ座標軸）上での電圧方程式を制御軸（δ−γ座標軸）上の電圧方程式に座標変換するなどの必要があり、制御が複雑になるという問題がある。【０００８】
また、パルスモータは、正確な位置決めを実現できるものの、歯車状の特殊な回転子を必要とするので、モータ自体が高価になったり、大型化したりするという問題がある。【０００９】
そこで、本発明は、位置検出器を不要とし、制御も容易な新たな同期モータの制御装置及び方法を提供することを目的とする。
【課題を解決するための手段】
【００１０】
上記課題を解決するために、請求項１に記載の発明は、界磁の作る磁束の方向をｄ軸とし、ｄ軸に対してπ／２進んだ位相をｑ軸とするｄ−ｑ座標を用いた同期モータの制御方法において、位置指令に対応したｄ軸の電気角を生成し、ｄ軸電機子に電流が流れ、かつｑ軸電機子に電流が流れないように、ｄ軸電機子電流及びｑ軸電機子電流を制御する同期モータの制御方法である。【００１１】
請求項２に記載の発明は、請求項１に記載の同期モータの制御方法において、ｄ軸電機子電流が一定となるように、ｄ軸電機子電流を制御することを特徴とする。【００１２】
請求項３に記載の発明は、界磁の作る磁束の方向をｄ軸とし、ｄ軸に対してπ／２進んだ位相をｑ軸とするｄ−ｑ座標を用いた同期モータの制御装置において、位置指令に対応したｄ軸の電気角を生成する位相生成手段と、同期モータに流れる３相交流電流を検出する電流検出器と、前記位相生成手段が生成した前記電気角に基づいて、前記電流検出器が検出した３相交流電流を、ｄ軸電機子電流及びｑ軸電機子電流に座標変換する３相交流／ｄ−ｑ座標変換手段と、ｄ軸電機子に電流が流れ、かつｑ軸電機子に電流が流れないように、ｄ軸電機子電流及びｑ軸電機子電流を制御する電流制御手段と、を備える同期モータの制御装置である。【００１３】
請求項４に記載の発明は、請求項３に記載の同期モータの制御装置において、前記電流制御手段は、ｄ軸電機子電流が一定となるように、ｄ軸電機子電流を制御することを特徴とする。【００１４】
請求項５に記載の発明は、請求項３に記載の同期モータの制御装置において、さらに、前記同期モータの位置を検出する位置検出器と、位置指令と前記検出器が検出した前記同期モータの位置とを比較して、前記同期モータが位置指令のとおりに動いていないときに、前記ｄ軸電機子に流れる電流値を大きくするか、又はｄ軸の電気角を変化させる位置判定手段と、を備えることを特徴とする。【００１５】
請求項６に記載の発明は、請求項１又は２に記載の同期モータの制御方法によって制御された同期モータである。
【発明の効果】
【００１６】
本発明によれば、位置指令に対応した電気角を生成し、ｄ軸電機子に電流を流し、ｑ軸電機子に電流を流さないように制御するので、位置指令の電気角に磁極の位置（ｄ軸の位置）を引き付けて止めることができる。そして、電気角を連続的に変化させることによって、同期モータを駆動させることができる。
【図面の簡単な説明】
【００１７】
【図１】本発明の実施例である回転界磁形の同期モータを示す概略図
【図２】本発明の実施例である可動コイル型の同期リニアモータを示す概略図
【図３】本発明の実施例であるｄ−ｑ座標で表した同期モータの等価回路
【図４】本発明の第一の実施形態の、ｄ−ｑ座標系を用いた制御装置のブロック図
【図５】本発明の実施例であるｄ−ｑ座標で表された同期モータの動作図（図中（ａ）は従来の同期モータの動作図を示し、図中（ｂ）は本実施形態のモータの動作図を示す）
【図６】本発明の第二の実施形態の制御装置のブロック図
【図７】従来のサーボモータのシステムのブロック図
【符号の説明】
【００１８】
１１…位置制御器
１２…ｑ軸電機子電流制御器（電流制御手段）
１３…ｄ軸電機子電流制御器（電流制御手段）
１４…位相検出器（位相生成手段）
１５…電力変換器
１６…ベクトル回転器・３相交流／ｄ−ｑ座標変換器
１７…電流検出器
１９…ベクトル回転器・ｄ−ｑ座標／３相交流変換器
２０…同期モータ
２１…位置検出器
２４…位置判定器（位置判定手段）
【発明を実施するための最良の形態】
【００１９】
以下添付図面に基づいて本発明の一実施形態の同期モータの制御装置を詳細に説明する。制御の対象となる同期モータには、界磁に永久磁石を使用する永久磁石同期モータを使用する。永久磁石同期モータには、図１に示されるような回転界磁形の同期モータを用いてもよいし、図２に示されるような可動コイル型の同期リニアモータを使用してもよい。回転界磁形の同期モータにおいては、電機子巻線１に３相交流電流を流すことによって、界磁をつくる永久磁石２が回転する。可動コイル型同期リニアモータにおいては、固定子３側にＮ極とＳ極の永久磁石４が交互に配置され、可動子５側にＵ，Ｖ，Ｗ相のコイル６が巻かれる。コイル６に３相電機子電流を流すことによって、直線的に移動する移動界磁が発生し、可動子５が固定子３に対して直線的に移動する。【００２０】
界磁が回転する回転界磁形の同期モータでも、界磁が直線的に移動する可動コイル型の同期リニアモータでも、回転座標のｄ−ｑ座標系を用いて、ｄ，ｑ軸電機子電流を制御することができる。同期モータの固定された部分と可動する部分をともに、回転する直交座標へ変換するのがｄ−ｑ変換であり、その座標系がｄ−ｑ座標系である。ｑ軸はｄ軸に対してπ／２進んだ位相にある。同期モータの場合、ｄ軸は界磁の作る磁束の方向に採るのが一般的である。【００２１】
図３は、ｄ−ｑ座標で表した同期モータの等価回路である。図３において、ｖｄａ，ｖｑａはｄ，ｑ軸電機子電圧、ｉｄａ，ｉｑａはｄ，ｑ軸電機子電流，φｆａは電機子巻線鎖交磁束数，Ｒａは電機子巻線抵抗，Ｌａは電機子巻線の自己インダクタンスである。この等価回路から電圧、電流、インピーダンスの関係式、すなわち回路方程式を求めると、
【数１】
2009004944.tif 000003
となる。この式の右辺第２項は、永久磁石の界磁によってｄ，ｑ軸電機子巻線に誘起する速度起電力ｅｄａ，ｅｑａを表しており、ｅｄａ＝０，ｅｑａ＝ωｒｅφｆａである。図３は、電機子巻線がＤＣモータのように整流子に接続されて半径方向に無数にあり、それらに界磁と同じ速度で回転するｄ，ｑ軸上に配置されたブラシを通してｖｄａ，ｖｑａが印加され、ｉｄａ，ｉｑａが流れるということを示している。ｖｄａ，ｖｑａを直流電圧にすれば、ｉｄａ，ｉｑａも直流電圧になり、２軸直流で扱える。【００２２】
数１式を状態方程式（微分方程式）に変形すると、
【数２】
2009004944.tif 000004
が得られる。【００２３】
この式は、ｄ，ｑ軸電機子電圧であるｖｄａとｖｑａで、ｄ，ｑ軸電機子電流であるｉｄａ，ｉｑａを制御できることを意味している。【００２４】
図４は、本発明の第一の実施形態の、ｄ−ｑ座標系を用いた制御装置のブロック図を示す。本実施形態の制御装置は、同期モータを駆動するにあたり、位置検出器を使用せず、同期モータのｄ軸（永久磁石の磁束の方向）に一定の電流を常時流し、オープンループで同期モータを駆動する。【００２５】
制御装置は、位置指令を受ける位置制御器１１、ｑ軸，ｄ軸電機子電流を制御する電流制御手段であるｑ軸，ｄ軸電機子電流制御器１２，１３、位置指令に応じた電気角を生成する位相生成手段である位相検出器１４、ｑ軸，ｄ軸電機子電圧指令に応じて、同期モータに電力を供給する電圧形ＰＷＭインバータなどの電力変換器１５を備える。【００２６】
コンピュータなどの上位制御装置から、位置指令θ＊ｒｍが位置制御器１１に与えられる。位置制御器１１は、位置指令θ＊ｒｍを位相検出器１４に出力する。位相検出器１４は、位置指令に対応した電気角θ＊ｒｅを算出し、電気角θ＊ｒｅを３相交流／ｄ−ｑ座標変換手段であるベクトル回転器・３相交流／ｄ−ｑ座標変換器１６に出力する。ベクトル回転器・３相交流／ｄ−ｑ座標変換器１６は、電気角θ＊ｒｅに基づいて、電流検出器１７からの３相帰還電流値ｉｕ，ｉｖ，ｉｗを、ｑ軸電機子電流ｉｑａとｄ軸電機子電流ｉｄａに変換する。【００２７】
ｑ軸電機子電流制御器１２は、ｑ軸電機子電流指令とｑ軸電機子電流ｉｑａとの偏差を取り、ｑ軸電機子電圧の指令値ｖ＊ｑａを演算する。ここで、ｑ軸電機子電流指令は、０に設定される。ｑ軸電機子電流制御器１２は、ｑ軸電機子電流ｉｑａが０になるように、ｑ軸電機子電流ｉｑａを制御する。従来のサーボモータにおいては、必要とするトルクに応じてｑ軸電機子電流指令が可変していたが、本実施形態では、ｑ軸電機子電流指令が常に０に設定されることに特徴がある。【００２８】
ｄ軸電機子電流制御器１３は、ｄ軸電機子電流指令とｄ軸電機子電流ｉｄａとの偏差を取り、ｄ軸電機子電圧の指令値ｖ＊ｄａを演算する。ここで、ｄ軸電機子電流指令は一定の電流値、例えば同期モータの定格電流に設定される。定格電流とは、同期モータに長時間電流を流しても同期モータが焼けない電流値である。従来のサーボモータにおいては、ｄ軸電流指令ｉ＊ｄａは通常０に設定されるが、本実施形態では、一定の電流値に設定されることに特徴がある。【００２９】
ベクトル回転器・ｄ−ｑ座標／３相交流変換器１９は、これらの電圧指令ｖ＊ｄａ，ｖ＊ｑａ及び電気角θ＊ｒｅに基づいて、３相電圧指令ｖ＊ｕ，ｖ＊ｖ，ｖ＊ｗを出力する。電力変換器１５は、これらの電圧指令に基づいて、出力電圧をＰＷＭ制御し、同期モータ２０に流れる電流を制御する。【００３０】
図５は、実施形態であるｄ−ｑ座標で表された同期モータの動作図を示す。図５（ａ）が位置検出器を用いた従来のフィードバック制御の動作図を示し、図５（ｂ）が位置検出器を使用しない本実施形態のオープンループ制御の動作図を示す。従来のフィードバック制御においては、ｄ軸電機子電流を０にし、ｑ軸電機子電流を必要なトルクに合わせた値になるように制御していた。ｑ軸電機子に電流を流すことで、トルクが発生し、同期モータ２０の永久磁石２３が回転していた（(a1)→(a2)→(a3)）。ｄ軸の位置（磁極位置）は、位置検出器が検出した位置情報から算出されていた。【００３１】
これに対して、本実施形態のオープンループ制御においては、まず、位置指令から駆動させる永久磁石２３の磁極位置指令２２（ｄ軸指令）を算出する。そして、ｄ軸電機子に一定の電流を流し、ｑ軸電機子に電流が流れないように、ｄ軸電機子電流及びｑ軸電機子電流を制御する。そうすると、永久磁石２３の磁極位置（ｄ軸の位置）は、磁極位置指令２２に引き付けられて磁極位置指令２２の位置で止まる。図５（ｂ）中(b1)→(b2)→(b3)と順番に磁極位置指令２２を変化させると、永久磁石２３が回転することになる。停止時には、同期モータ２０に定格電流を流したときの保持力が発生する。【００３２】
本実施形態のオープンループ制御においては、ｑ軸電機子に電流を流していないので、同期モータ２０に発生するトルクが小さい。このため、同期モータ２０に負荷がかかっているときは、電気角の変化に同期モータ２０が追従しない恐れがある。しかし、同期モータ２０に定格電流を流すことで、同期モータ２０のトルクを大きくすることができる。また、電気角を＋５度、＋１０度、＋１５度等徐々に大きくするにつれて、同期モータ２０には徐々に大きなトルクが働くので（電気角を＋９０度にするときに、最も大きなトルクが働く）、電気角を大きくすることで同期モータを動作させることができる。同期モータが一旦動作したときは、後はその慣性によって同期モータが動作し続けるので、最終的に電気角に近づくことができる。【００３３】
図６は、本発明の第二の実施形態における制御装置のブロック図を示す。この実施形態の制御装置においては、同期モータ２０を確実に動作させるために、上記第一の実施形態の制御装置にさらに、同期モータ２０の位置を検出するエンコーダ等の位置検出器２１、同期モータ２０が動作していないとき同期モータ２０のトルクを大きくする位置判定手段である位置判定器２４を付加している。その他の、位置制御器１１、ｄ軸，ｑ軸電機子電流制御器１２，１３、ベクトル回転器・３相交流／ｄ−ｑ座標変換器１６、ベクトル回転器・ｄ−ｑ座標／３相交流変換器１９、位相検出器１４、電力変換器１５の構成は、上記第一の実施形態と同一なので、同一の符号を付してその説明を省略する。【００３４】
同期モータ２０が動作していないとき、同期モータ２０を動作させるためには、同期モータ２０に流す電流を増加させるか、または同期モータ２０の電気角を変化させる必要がある。例えば、電気角を＋５度にするよりも＋９０度にするほうが大きなトルクが発生する。【００３５】
位置判定器２４は、位置指令と位置検出器２１が検出した同期モータ２０の位置とを比較する。そして、同期モータ２０が位置指令のとおりに動作していないとき、ｄ軸電機子電流の電流指令を増加させるか、又はｄ軸の電気角を変化させる。ｄ軸の電気角を変化させる場合、位相検出器１４を操作して、例えばベクトル回転器を＋９０度にする指令を送る。同期モータ２０に流す電流を増加させるか、または同期モータ２０の電気角を変化させることで、同期モータ２０のトルクが大きくなるので、同期モータ２０を動作させることができる。【００３６】
同期モータ２０は一旦動作したら、後はその慣性によって所定の電気角まで回転する。位置判定器は、同期モータ２０の動作を確認したならば、ｄ軸電機子電流を一定の電流値に戻したり、電気角を位置指令に対応した元の電気角に戻したりすればよい。【００３７】
なお、本発明は上記実施形態に限られることなく、本発明の要旨を変更しない範囲で様々な実施形態に変更できる。例えば、サーボモータは、アナログサーボ系であっても、ソフトウェアサーボ系であってもよい。ソフトウェアサーボ系の場合、制御装置には、制御を行うマイクロコンピュータが組み込まれる。
【図１】
2009004944.tif 000005
【図２】
2009004944.tif 000006
【図３】
2009004944.tif 000007
【図４】
2009004944.tif 000008
【図５】
2009004944.tif 000009
【図６】
2009004944.tif 000010
【図７】
2009004944.tif 000011
【国際調査報告】
2009004944.tif 000012
2009004944.tif 000013